(57)【要約】      （修正有）【課題】専用のヒートシンクを必要としないで放熱性の良いＬＥＤ照明灯を提供する。【解決手段】アルミニュームなどからなる放熱性の高い押し出し材の構造用組み立て式フレーム材などにLED発光体を構成した熱伝導性の良い材質からなる個々に独立したＬＥＤ取り付け台１とＬＥＤからの光を拡散、投光させる導光管１１などから構成されるＬＥＤ照明部材を前期フレーム６材に嵌め込み接続し取り付けることにより前記フレーム６材をヒートシンクおよび照明灯の箱体として利用し、特別な専用ヒートシンクも必要としない放熱性の良いさまざまなサイズを作成させることにある。【選択図】図４
2012079568.tif 000002
【特許請求の範囲】
【請求項１】
LEDと、LEDからの光を外部に投光する、投光、拡散部を備えた、熱伝導性の良い材質からなるLED取り付け台と、前記LED取り付け台からの熱を放熱する押し出し材との互いに対応する凹凸状部を嵌め込み接続して形成するLED照明灯において、前記LED取り付け台が前記押し出し材に対して取り付け位置を固定されることがなく設定および取り外しできることを特徴とするLED照明灯。
【請求項２】
請求項1のLED照明灯において前記LED取り付け台と押し出し材が、ばねにより接続されていることを特徴とするLED照明灯
【請求項３】
請求項1及び請求項2のLED照明灯において、前記LED取り付け台が押し出し材で作られていることを特徴とするLED照明灯。
【請求項４】
請求項3のLED照明灯において、前記LED取り付け台からの熱を放熱する押し出し材が構造用フレームであることを特徴とするLED照明灯。
【発明の詳細な説明】
【技術分野】
【０００１】
本発明は、LED照明灯として使用される。
【背景技術】
【０００２】
ＬＥＤ照明灯に使われる、LED発光体は、発光時における熱により発光体性能の劣化などがおきる、高輝度ＬＥＤのほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立て式フレーム材などにLED発光体を構成した熱伝導性の良い材質からなる個々に独立したＬＥＤ取り付け台とＬＥＤからの光を拡散、投光させる導光管などから構成されるＬＥＤ照明部材を前期フレーム材に嵌め込み接続し取り付けることにより前記フレーム材をヒートシンクおよび照明灯の箱体として利用し、特別な専用ヒートシンクも必要としない放熱性の良いさまざまなサイズを作成させることができ、かつ取り付け取り外しが自由な、低価格のLED照明灯を提供することにある。
【発明の効果】
【０００４】
特別なヒートシンクを必要としない取り外し自由な、低価格なＬＥＤ照明灯を提供できる。
【図面の簡単な説明】
【０００５】
【図１】(1a) LED取り付け台          (2a)導光管支持台          (3a)フレーム（照明灯箱体）          (4a)円柱状の導光管
【図２】(1b)導光管支台  正面図          (2b)導光管支台側面断面図          (3b)左右2つの導光管支持台に支持された導光管断面図
【図３】(1c)板ばね左側面図          (2c)板ばね正面図          (3c)板ばね平面図
【図４】板ばね、導光管、導光管支持台をフレーム材にまさに嵌めこもうとする斜視図
【図５】(1d)板ばね、導光管、導光管支持台をフレーム材は嵌め込んだ後のエンドキャップ接続前左側面図(2d)板ばね、導光管、導光管支持台をフレーム材は嵌め込んだ後のエンドキャップ接続前正面図(3d) 板ばね、Xだけ短い導光と導光管支持台をフレーム材は嵌め込んだ後のエンドキャップ接続前正面図
【図６】フレームに構成したLED照明灯の導光管からのLEDからの光の拡散、投光図
【図７】2つの導光管を構成するLED照明灯をフレーム材に嵌め込む図
【図８】図7におけるLED照明灯嵌め込み接続後図
【図９】筐体を構成するフレーム材に本発明のLED照明灯を組み込んだ図
【発明を実施するための形態】
【０００６】
以下、本発明の実施の形態を、図を使用して説明する。
【０００７】
図1の図(1a)において(1)は、本発明による、LED照明灯を構成するアルミニューム押し出し材などから作られるLED取り付け台の押し出し方向からの図である。前記LED取り付け台(1)の凸状部(3)は図(3a)に示されている、対応する押し出し材からなるフレーム(6)の凹状部(9)よりやや小さく作られている、溝部の(2)は前記LED取り付け台（1）を前記フレーム（6）に嵌めこんだとき取り付け台（1）がフレーム（6）にしっかりと接するようにするためのばね（図3にて説明）を嵌めるばね溝(2)である、このばねの圧縮応力によりLED取り付け台（1）とフレーム（6）は常に強く接触、接続することにより、LEDが発した前記LED取り付け台（1）への熱はフレーム(6)に伝導される。また、ばねにより接続されているのでLED取り付け台（1）のフレーム（6）への取り付けも取り付け位置変化においても特別な工具を必要としない。
【０００８】
図(2a)は、前記LED取り付け台（1）に取り付けられたLEDが発する光を拡散、投光するためのレンズの役割をする導光管（11）を支持するためのプラスチックまたは金属などの導光管支持台（5）であり、前記導光管支持台(5)には導光管（11）を支持するための導光管支持穴(4)が設けられている。
図(3a)は、押し出し材などから作られる,本発明のLED照明灯の本体（箱体）に該当する、構造用フレーム材などから作られるフレーム（6）の押し出し方向からの断面図である、前記LED取り付け台（1）の左右に設けられた溝は、フレーム（6）の溝部を蓋する上蓋用溝（7）であり、前記上蓋溝（7）下の左右に設けられた穴はエンドキャップ接続用のネジ穴（8）である。
図(4a)は、アクリルやガラスなどから作られる透明な円柱状の導光管（11）であり、導光管の底にはLEDからの光を拡散、投光するための反射部（12）が設けられている。
【０００９】
図面2における図(1b)は、導光管支持台（5）の正面図であり図(2b)はその右側面の断面図である、柱状の導光管（11）を支持する導光管支持穴（4）内部には、オーリングが設けられている、図(3b)は、2個の導光管支持台（5）で1つの導光管(11)を支持している図の断面図である、オーリングにて円柱状の導光管(11)両端を支持しているので、導光管（11）を指などで回転させ場合、オーリングの摩擦で回転位置を保持できるため前記導光管（11）の反射部（12）の位置が変わり投光角度を自由に設定できる。オーリングの変わりに導光管の回転時に導光管回転軸に摩擦を与えるオイルシールなどでも可能である
図3における図(1c)は、ＬＥＤ取り付け台(1)のばね溝（2）に嵌め込むばね鋼などからなる板ばね（13）の右側面図である、この板ばね（13）のたわみ部分（14）がフレーム（6）の底部(10)により高さ（ｈ）が圧縮されることによりＬＥＤ取り付け台（1）とフレーム（6）を常にこの圧縮応力で接触させることができる、このばね力によりＬＥＤ取り付け台（1）からの熱をフレーム（6）に熱伝導する際生じる接触抵抗を小さくできるまた、力を加えてばねをたわませ幅(ｈ)の値を小さくすることによりＬＥＤ取り付け台（1）のフレーム（6）上の位置を特別な工具を使わず自由に設定できるので導光管（11）の長さを変えられることができる、図(2c)は、板ばね（13）の正面図で凸部分（15）は対応するLED取り付け台（1）の溝部（2）に差し込む凸部である、図(3c)は側面図である。
【００１０】
図4は、2個のＬＥＤ取り付け台(1),導光管支持台(5),板ばね(13)、エンドキャップと1つのフレーム（6）と1つの導光管(11)を矢印の方向に嵌め込みねじにて接続し1つの独立したLED照明塔を組み立てようとする図の斜視図である。
図5の図(1d)は、嵌め込み後のエンドキャップを接続する前の左側面図であり、板ばね（13）の力(F1)はフレーム（6）の底部（10）に作用してその反作用の力(F)はLED取り付け台（1）の凸上部（3）でフレーム（6）を押しつける、図(2d)は、正面図である(L)はLED照明灯の全長を表す。図(3d)は、LED取り付け台（1）を移動してXだけ短い導光管（11）を取り付けた場合の図である。
図6は、ＬＥＤからの光がＬＥＤから発せられた後、導光管（11）内を反射した後、反射板（12）に反射して導光管（11）の外部に投光される図である。
図7は、2つの導光管（11）と左右に2つのＬＥＤを取り付けた1つのＬＥＤ取り付け台（1）、とLEDを片側に取り付けた2つのLED取り付け台（1）4つの導光管支持台(5)と3の板ばね（13）を1つのフレーム（1）に嵌め込むことにより、2つの独立した発光部を持つ本発明による照明灯を製作する斜視図である
図8は図7においてのエンドキャップ接続前の嵌め込み後の本発明によるLED照明灯（A）完成図である
図9は、複数のアルミニューム押し出し材などからなる構造用フレーム材を組み立て製作した箱体（16）であり、このうちのLED取り付け台（1）を接続できる押し出し開口部を備えた1つのフレーム（6）に本発明による照明灯を取り付けた図である。本発明によるＬＥＤ照明灯は、商品陳列棚や工場における設備の一部の押し出し材からなるフレームにＬＥＤ取り付け台（1）と対応する開口部を設ければそこに必要に応じたサイズのＬＥＤ照明灯を必要なだけ数内蔵設置することができる。
【産業上の利用可能性】
【００１１】
LED照明灯構造として利用できる。
【符号の説明】
【００１２】
1.     
LED取り付け台
2.     
ばね溝
3.     
取り付け台の凸状部(3)
4.     
導光管支持穴
5.     
導光管支持台
6.     
フレーム
7.     
上蓋用溝
8.     
ねじ穴
9.     
凹状部
10. 底部
11. 導光管
12. 反射部
13. 板ばね
14. 板ばねたわみ部
15. ばね溝（2）に嵌め込む、凸部分
16. レーム材を組み立て製作した箱体
ｈ  ばね高さ
L  エンドキャップ接続前の本発明によるLED照明灯全長
X  導光管を短くしたLED照明灯
A  本発明によるLED照明灯
F  フレーム上部を押す力
F1  フレーム底面を押すばねからの力
【図１】
2012079568.tif 000003
【図２】
2012079568.tif 000004
【図３】
2012079568.tif 000005
【図４】
2012079568.tif 000006
【図５】
2012079568.tif 000007
【図６】
2012079568.tif 000008
【図７】
2012079568.tif 000009
【図８】
2012079568.tif 000010
【図９】
2012079568.tif 000011
【手続補正書】
【提出日】平成22年12月8日(2010.12.8)
【手続補正１】
【補正対象書類名】明細書
【補正対象項目名】全文
【補正方法】変更
【補正の内容】
【発明の詳細な説明】
【技術分野】
【０００１】
本発明は、LED照明灯として使用される。
【背景技術】
【０００２】
ＬＥＤ照明灯に使われる、LED発光体は、発光時における熱により発光体性能の劣化などがおきる、高輝度ＬＥＤほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立て式フレーム材などにも適応できる押し出し材にLED発光体を構成した熱伝導性の良い材質からなる個々に独立したＬＥＤ取り付け台とＬＥＤからの光を拡散、投光させる導光管などから構成されるＬＥＤ発光部を取り付けることにより前記押し出し材をヒートシンクおよび照明灯の箱体として利用し、1つの独立したLED照明灯を構成させることにより特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供することにある。
【発明の効果】
【０００４】
特別なヒートシンクを必要としないLED取り付け台の取り付け位置設定及び、取り付け取り外しが自由な、低価格なＬＥＤ照明灯を提供できる。
【図面の簡単な説明】
【０００５】
【図１】(1a) LED取り付け台          (2a)導光管支持台          (3a)照明灯箱体（構造用組み立てフレーム材にも適応できる）          (4a)円柱状の導光管
【図２】(1b)導光管支台  正面図          (2b)導光管支台側面断面図          (3b)左右2つの導光管支持台に支持された導光管断面図
【図３】(1c)板ばね左側面図          (2c)板ばね正面図          (3c)板ばね平面図
【図４】板ばね、導光管、導光管支持台を照明灯箱体にまさに嵌めこもうとする斜視図
【図５】(1d)板ばね、導光管、導光管支持台を照明灯箱体に嵌め込んだ後のエンドキャップ接続前左側面図(2d)板ばね、導光管、導光管支持台を照明灯箱体に嵌め込んだ後のエンドキャップ接続前正面図(3d) 板ばね、Xだけ短い導光管と導光管支持台を照明灯箱体に嵌め込んだ後のエンドキャップ接続前正面図
【図６】フレームに構成したLED照明灯の導光管からの光の拡散、投光図
【図７】2つの導光管（11）を構成するLED照明灯を照明灯箱体に嵌め込む図
【図８】図7におけるLED照明灯嵌め込み接続後図
【図９】筐体を構成する照明灯箱体に本発明のLED照明灯を組み込んだ図
【発明を実施するための形態】
【０００６】
以下、本発明の実施の形態を、図を使用して説明する。（以下図面において本発明に関する部のみ図示しその他は図を省略する）
【０００７】
図1の図(1a)において(1)は、本発明による、LED照明灯を構成するアルミニューム押し出し材などから作られるLEDを取り付けるLED取り付け台の押し出し方向からの図である。前記LED取り付け台(1)の凸状部(3)は図(3a)に示されている、対応する押し出し材からなる照明灯箱体(6)の凹状部(9)よりやや小さく作られている、溝部の(2)は前記LED取り付け台（1）を前記照明灯箱体（6）に嵌めこんだとき取り付け台（1）が照明灯箱体（6）にしっかりと接するようにするためのばね（図3にて説明）を嵌めるばね溝(2)である、このばねの圧縮応力によりLED取り付け台（1）と照明灯箱体（6）は常に強く接触、接続することにより、接触抵抗が小さくなりLEDが発した前記LED取り付け台（1）への熱は、ヒートシンクの役割を果たす照明灯箱体により伝導されやすくなり前記照明灯箱体（6）より放熱される。また、ばねにより接続されているのでLED取り付け台（1）の照明灯箱体（6）への取り付けも取り付け位置変化においても特別な工具を必要としない。
【０００８】
図(2a)は、前記LED取り付け台（1）に取り付けられたLEDが発する光を拡散、投光するためのレンズの役割をする本LED照明灯の投光部となる導光管（11）を支持するためのプラスチックまたは金属などの導光管支持台（5）であり、前記導光管支持台(5)には導光管（11）を支持するための導光管支持穴(4)が設けられている。
図(3a)は、押し出し材などから作られる,本発明のLED照明灯の本体（照明灯箱体）に該当する、構造用フレーム材などにも使用できる照明灯箱体（6）の押し出し方向からの図である、前記LED取り付け台（1）の左右に設けられた溝は、照明灯箱体（6）の溝部を蓋する上蓋用溝（7）であり、前記上蓋溝（7）下の左右に設けられた穴はエンドキャップ接続用のネジ穴（8）である。
図(4a)は、アクリルやガラスなどから作られる透明な円柱状の導光管（11）であり、導光管にはLEDからの光を拡散、投光するための反射部（12）が設けられている。
【０００９】
図面2における図(1b)は、導光管支持台（5）の正面図であり図(2b)はその右側面の断面図である、柱状の導光管（11）を支持する導光管支持穴（4）内部には、オーリングが設けられている、図(3b)は、2個の導光管支持台（5）で1つの導光管(11)を支持している図の断面図である、オーリングにて円柱状の導光管(11)両端を支持しているので、導光管（11）を指などで回転させ場合、オーリングの摩擦で回転位置を保持できるため前記導光管（11）の反射部（12）の位置が変わり投光角度を自由に設定できる。オーリングの変わりに導光管の回転時に導光管回転軸に摩擦を与えるオイルシールなどでも可能である
図3における図(1c)は、ＬＥＤ取り付け台(1)のばね溝（2）に嵌め込むばね鋼などからなる板ばね（13）の右側面図である、この板ばね（13）のたわみ部分（14）が照明灯箱体（6）の底部(10)により高さ（ｈ）が圧縮されることによりＬＥＤ取り付け台（1）と照明灯箱体（6）を常にこの圧縮応力で接触させることができる、このばね力によりＬＥＤ取り付け台（1）からの熱を照明灯箱体（6）に熱伝導する際生じる接触抵抗を小さくできるまた、力を加えてばねをたわませ幅(ｈ)の値を小さくすることによりＬＥＤ取り付け台（1）の照明灯箱体（6）上の位置を特別な工具を使わず自由に設定できるので導光管（11）の長さを変えられることができる、図(2c)は、板ばね（13）の正面図で凸部分（15）は対応するLED取り付け台（1）の溝部（2）に差し込む凸部である、図(3c)は平面図である。
【００１０】
図4は、2個のＬＥＤ取り付け台(1),導光管支持台(5),板ばね(13)、エンドキャップと1つの照明灯箱体（6）と1つの導光管(11)を矢印の方向に嵌め込み接続し1つの独立したLED照明塔を組み立てようとする図の斜視図である。
図5の図(1d)は、嵌め込み後のエンドキャップを接続する前の左側面図であり、板ばね（13）の力(F1)は照明灯箱体（6）の底部（10）に作用してその反作用の力(F)はLED取り付け台（1）の凸上部（3）で照明灯箱体（6）を押しつける、図(2d)は、正面図である(L)はLED照明灯の全長を表す。図(3d)は、LED取り付け台（1）を移動してXだけ短い導光管（11）を取り付けた場合の図である。
図6は、ＬＥＤからの光がＬＥＤから発せられた後、導光管（11）内を反射した後、反射板（12）に反射して導光管（11）の外部に投光される図である。
図7は、2つの導光管（11）と左右に2つのＬＥＤを取り付けた1つのＬＥＤ取り付け台（1）、とLEDを片側に取り付けた2つのLED取り付け台（1）4つの導光管支持台(5)と3の板ばね（13）を1つの照明灯箱体（6）に嵌め込むことにより、2つの独立した発光部を持つ本発明による照明灯を製作する斜視図である
図8は図7においてのエンドキャップ接続前の嵌め込み後の本発明によるLED照明灯（A）完成図である
図9は、複数のアルミニューム押し出し材などからなる構造用フレーム材を組み立て製作した箱体（16）であり、このうちのLED取り付け台（1）を嵌め込み接続できる押し出し開口部を備えた1つのフレーム材を照明灯箱体として本発明のLED照明灯（A）を設置した図である。本発明によるＬＥＤ照明灯は、商品陳列棚や工場における設備の一部の押し出し材からなるフレームにＬＥＤ取り付け台（1）と対応する開口部を設ければそこに必要に応じたサイズのＬＥＤ照明灯を必要なだけ数内蔵設置することができる。
【産業上の利用可能性】
【００１１】
LED照明灯構造として利用できる。
【符号の説明】
【００１２】
1.     
LED取り付け台
2.     
ばね溝
3.     
取り付け台の凸状部(3)
4.     
導光管支持穴
5.     
導光管支持台
6.     
照明灯箱体
7.     
上蓋用溝
8.     
ねじ穴
9.     
凹状部
10. 底部
11. 導光管
12. 反射部
13. 板ばね
14. 板ばねたわみ部
15. ばね溝（2）に嵌め込む、凸部分
16. レーム材を組み立て製作した箱体
ｈ  ばね高さ
L  エンドキャップ接続前の本発明によるLED照明灯全長
X  導光管を短くしたLED照明灯
A  本発明によるLED照明灯
F  フレーム上部を押す力
F1  フレーム底面を押すばねからの力
【手続補正２】
【補正対象書類名】特許請求の範囲
【補正対象項目名】全文
【補正方法】変更
【補正の内容】
【特許請求の範囲】
【請求項１】
LEDと、LEDからの光を外部に投光する、投光部を備えた、熱伝導性の良い材質からなるLED取り付け台と、前記LED取り付け台からの熱を放熱するLED照明灯箱体となる押し出し材からなる1つのLED照明灯において、前記押し出し材に対する前記LED取り付け台の取り付け時において前記LED取り付け台が前記押し出し材に対しての設置位置が固定されてないことを特徴とするLED照明灯。
【請求項２】
LEDと、LEDからの光を外部に投光する、投光部を備えた、熱伝導性の良い材質からなるLED取り付け台と、前記LED取り付け台からの熱を放熱するLED照明灯箱体となる押し出し材に形成された互いに対応する凹凸状部を嵌め込み接続して形成する1つのLED照明灯において、前記押し出し材に対する前記LED取り付け台の取り付け時において前記LED取り付け台が前記押し出し材に対しての設置位置が固定されてないことを特徴とするLED照明灯。
【請求項３】
前記請求項1及び請求項2のLED照明灯において前記LED取り付け台を取り付け及び取り外しできることを特徴とするLED照明灯。
【請求項４】
前記請求項1及び請求項2、請求項3のLED照明灯において、複数のLED取り付け台を設置することにより、独立した投光部を複数設定できることを特徴とするLED照明灯。
【請求項５】
前記請求項1及び請求項2、請求項3のLED照明灯において、複数のLED取り付け台とLED取り付け台の間に導光管を設置することにより、独立した前記導光管による投光部を複数設定できることを特徴とするLED照明灯。
【請求項６】
請求項4及び請求項5のLED照明灯において、前記LED取り付け台からの熱を放熱するLED照明灯箱体となる押し出し材がアルミ押し出し材からなる構造用フレームとして利用できることを特徴とするLED照明灯。
【手続補正４】
【補正対象書類名】図面
【補正対象項目名】全図
【補正方法】変更
【補正の内容】
【図１】
2012079568.tif 000012
【図２】
2012079568.tif 000013
【図３】
2012079568.tif 000014
【図４】
2012079568.tif 000015
【図５】
2012079568.tif 000016
【図６】
2012079568.tif 000017
【図７】
2012079568.tif 000018
【図８】
2012079568.tif 000019
【図９】
2012079568.tif 000020
【手続補正書】
【提出日】平成23年3月1日(2011.3.1)
【手続補正１】
【補正対象書類名】明細書
【補正対象項目名】全文
【補正方法】変更
【補正の内容】
【発明の詳細な説明】
【技術分野】
【０００１】
本発明は、LED照明灯として使用される。
【背景技術】
【０００２】
ＬＥＤ照明灯に使われる、LED発光体は、発光時における熱により発光体性能の劣化などがおきる、高輝度ＬＥＤほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立て式フレーム材などに適応できる押し出し材にLED発光体を構成した熱伝導性の良い材質からなる個々に独立したＬＥＤ取り付け台とＬＥＤからの光を拡散、投光させる導光管などから構成されるＬＥＤ発光部を取り付けることにより前記押し出し材をヒートシンクおよび照明灯の箱体として利用し、1つの独立したLED照明灯を構成させることにより特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供することにある。
【発明の効果】
【０００４】
特別なヒートシンクを必要としないLED取り付け台の取り付け位置設定及び、取り付け取り外しが自由な、低価格なＬＥＤ照明灯を提供できる。
【図面の簡単な説明】
【０００５】
【図１】(1a) LED取り付け台          (2a)導光管支持台          (3a)照明灯箱体（構造用組み立てフレーム材にも適応できる）          (4a)円柱状の導光管
【図２】(1b)導光管支台  正面図          (2b)導光管支台側面断面図          (3b)左右2つの導光管支持台に支持された導光管断面図
【図３】(1c)板ばね左側面図          (2c)板ばね正面図          (3c)板ばね平面図
【図４】板ばね、導光管、導光管支持台を照明灯箱体にまさに嵌めこもうとする斜視図
【図５】(1d)板ばね、導光管、導光管支持台を照明灯箱体に嵌め込んだ後のエンドキャップ接続前左側面図(2d)板ばね、導光管、導光管支持台を照明灯箱体に嵌め込んだ後のエンドキャップ接続前正面図(3d) 板ばね、Xだけ短い導光管と導光管支持台を照明灯箱体に嵌め込んだ後のエンドキャップ接続前正面図
【図６】フレームに構成したLED照明灯の導光管からの光の拡散、投光図
【図７】2つの導光管（11）を構成するLED照明灯を照明灯箱体に嵌め込む図
【図８】図7におけるLED照明灯嵌め込み接続後図
【図９】筐体を構成する照明灯箱体に本発明のLED照明灯を組み込んだ図
【発明を実施するための形態】
【０００６】
以下、本発明の実施の形態を、図を使用して説明する。（以下図面において本発明に関する部のみ図示しその他は図を省略する）
【０００７】
図1の図(1a)において(1)は、本発明による、LED照明灯を構成するアルミニューム押し出し材などから作られるLEDを取り付けるLED取り付け台の押し出し方向からの図である。前記LED取り付け台(1)の凸状部(3)は図(3a)に示されている、対応する押し出し材からなる照明灯箱体(6)の凹状部(9)よりやや小さく作られている、溝部の(2)は前記LED取り付け台（1）を前記照明灯箱体（6）に接続し設置するため、対応する前記凸凹状部を互いに嵌めこんだとき取り付け台（1）が照明灯箱体（6）にしっかりと接するようにするためのばね（図3にて説明）を嵌めるばね溝(2)である、このばねの圧縮応力によりLED取り付け台（1）と照明灯箱体（6）は常に強く接触、することにより、接触抵抗が小さくなりLEDが発した前記LED取り付け台（1）からの熱は、ヒートシンクの役割を果たす照明灯箱体に、より伝導されやすくなり前記照明灯箱体（6）より放熱される。また、ばねにより接続されているのでLED取り付け台（1）の照明灯箱体（6）への取り付けも設置位置変化においても特別な工具を必要としない。
【０００８】
図(2a)は、前記LED取り付け台（1）に取り付けられたLEDが発する光を拡散、投光するためのレンズの役割をする本LED照明灯の投光部となる導光管（11）を支持するためのプラスチックまたは金属などの導光管支持台（5）であり、前記導光管支持台(5)には導光管（11）を支持するための導光管支持穴(4)が設けられている。
図(3a)は、押し出し材などから作られる,本発明のLED照明灯の本体（以下照明灯箱体と呼ぶ）に該当する、構造用フレーム材などにも使用できる照明灯箱体（6）の押し出し方向からの図である、前記照明灯箱体（6）内部の左右に設けられた溝（7）は、照明灯箱体（6）蓋のための上蓋用溝（7）であり、前記上蓋溝（7）下の左右に設けられた穴はエンドキャップ接続用のネジ穴（8）である。
図(4a)は、アクリルやガラスなどから作られる透明な円柱状の導光管（11）であり、導光管にはLEDからの光を拡散、投光するための反射部（12）が設けられている。
【０００９】
図面2における図(1b)は、導光管支持台（5）の正面図であり図(2b)はその右側面の断面図である、柱状の導光管（11）を支持する導光管支持穴（4）内部には、オーリングが設けられている、図(3b)は、2個の導光管支持台（5）で1つの導光管(11)を支持している図の断面図である、オーリングにて円柱状の導光管(11)両端を支持しているので、導光管（11）を指などで回転させ場合、オーリングの摩擦で回転位置を保持できるため前記導光管（11）の反射部（12）の位置が変わり投光角度を自由に設定できる。オーリングの変わりに導光管の回転時に導光管回転軸に摩擦を与えるオイルシールなどでも可能である
図3における図(1c)は、ＬＥＤ取り付け台(1)のばね溝（2）に嵌め込むばね鋼などからなる板ばね（13）の右側面図である、この板ばね（13）のたわみ部分（14）が照明灯箱体（6）の底部(10)により高さ（ｈ）が圧縮されることによりＬＥＤ取り付け台（1）と照明灯箱体（6）を常にこの圧縮応力で接触させることができる、このばね力によりＬＥＤ取り付け台（1）からの熱を照明灯箱体（6）に熱伝導する際生じる接触抵抗を小さくできるまた、力を加えてばねをたわませ幅(ｈ)の値を小さくすることによりＬＥＤ取り付け台（1）の照明灯箱体（6）上の位置を特別な工具を使わず自由に設定できるので長さの違う導光管（11）を設置できる、図(2c)は、板ばね（13）の正面図で凸部分（15）は対応するLED取り付け台（1）の溝部（2）に差し込む凸部である、図(3c)は前記板ばねの平面図である。
【００１０】
図4は、2個のＬＥＤ取り付け台(1),導光管支持台(5),板ばね(13)、エンドキャップと1つの照明灯箱体（6）と1つの導光管(11)を矢印の方向に嵌め込み接続設置し1つの独立したLED照明灯を組み立てようとする図の斜視図である（本発明以外の物の図は、省略）。
図5の図(1d)は、嵌め込み後のエンドキャップを接続する前の左側面図であり、板ばね（13）の力(F1)は照明灯箱体（6）の底部（10）に作用してその反作用の力(F)はLED取り付け台（1）の凸上部（3）で照明灯箱体（6）を押しつける、図(2d)は、正面図である(L)はLED照明灯の全長を表す。図(3d)は、LED取り付け台（1）を移動してXだけ短い導光管（11）を取り付けた場合の図である。
図6は、ＬＥＤからの光がＬＥＤから発せられた後、導光管（11）内を反射した後、反射板（12）に反射して導光管（11）の外部に投光される図である。
図7は、2つの導光管（11）と左右に2つのＬＥＤを取り付けた1つのＬＥＤ取り付け台（1）、とLEDを片側に取り付けた2つのLED取り付け台（1）、4つの導光管支持台(5)と3の板ばね（13）を1つの照明灯箱体（6）に嵌め込むことにより、2つの独立した発光部を持つ本発明による照明灯を製作する斜視図である（本発明以外の物の図は、省略）。
図7に示されるように、LED取り付け台（1）は、照明灯箱体（6）に必要な数だけ設置できる。
図8は図7においてのエンドキャップ接続前の嵌め込み後の本発明によるLED照明灯（A）完成図である
図9は、複数のアルミ押し出し材などからなる構造用フレーム材を組み立て製作した箱体枠（16）であり、このうちのLED取り付け台（1）を嵌め込み接続し設置できる図1の図3aで示された押し出し材を1つの構造用フレーム材を兼ねた照明灯箱体とした本発明のLED照明灯（A）を設置した図である。本発明によるＬＥＤ照明灯は、商品陳列棚や工場における設備の一部の構造用フレーム材に前記ＬＥＤ取り付け台（1）と対応し前記LED取り付け台を嵌め込み設置できる押し出材を備えればそこに必要に応じたサイズのＬＥＤ照明灯を必要なだけ数内蔵設置することができ照明灯箱体自体が構造用フレーム材となるので構造用フレーム材数を減らせる。また、他の構造用フレーム材に熱を伝導させることにより、他の構造用フレーム材からも放熱が可能となる。
【産業上の利用可能性】
【００１１】
LED照明灯構造として利用できる。
【符号の説明】
【００１２】
1.     
LED取り付け台
2.     
ばね溝
3.     
取り付け台の凸状部(3)
4.     
導光管支持穴
5.     
導光管支持台
6.     
照明灯箱体
7.     
上蓋用溝
8.     
ねじ穴
9.     
凹状部
10. 底部
11. 導光管
12. 反射部
13. 板ばね
14. 板ばねたわみ部
15. ばね溝（2）に嵌め込む、凸部分
16. 構造用フレーム材を組み立て製作した箱体枠
ｈ  ばね高さ
L  エンドキャップ接続前の本発明によるLED照明灯全長
X  導光管を短くしたLED照明灯
A  本発明によるLED照明灯
F  照明灯箱体（6）を押す力
F1  照明灯箱体（6）を押すばねからの力

【手続補正２】
【補正対象書類名】特許請求の範囲
【補正対象項目名】全文
【補正方法】変更
【補正の内容】
【特許請求の範囲】
【請求項１】
LEDを備えた、押し出し材又は熱伝導性の良い材質からなるLED取り付け台と、前記LED取り付け台を設置する前記LEDからの熱を伝導し、放熱する押し出し材からなるLED照明灯箱体で構成される、1つのLED照明灯において、前記押し出し材に対する前記LED取り付け台の設置位置移動が可能でありかつ設置数が固定されてないことを特徴とするLED照明灯。
【請求項２】
LEDを備えた、押し出し材又は熱伝導性の良い材質からなるLED取り付け台と、前記LED取り付け台からの熱を放熱するLED照明灯箱体となる押し出し材、それぞれに構成された互いに対応する凹凸状部を嵌め込み設置して構成される1つのLED照明灯において、前記押し出し材に対する前記LED取り付け台の設置位置移動が可能でありかつ設置数が固定されてないことを特徴とするLED照明灯。
【請求項３】
前記請求項1及び請求項2のLED照明灯において前記LED取り付け台を取り付け及び取り外しできることを特徴とするLED照明灯。
【請求項４】
前記請求項1及び請求項2及び請求項3のLED照明灯において、前記LED取り付け台からの熱を放熱するLED照明灯箱体となる押し出し材がアルミ押し出し材からなる構造用フレーム材であることを特徴とするLED照明灯。
【請求項５】
前記請求項1及び請求項2及び請求項3のLED照明灯において、前記LED取り付け台と前記LED取り付け台を設置する前記LEDからの熱を、放熱する押し出し材からなるLED照明灯箱体は、熱伝導における接触抵抗を小さくするため、ばねにより生じる圧力が、互いの接触面に加わっていることを特徴とするLED照明灯。
【請求項６】
前記請求項1及び請求項2及び請求項3及び請求項4のLED照明灯において、前記LED取り付け台とLED取り付け台の間に柱状の導光管を支持させることにより、独立した前記LED取り付け台のLEDからの光の投光部を設置できることを特徴とするLED照明灯。
【手続補正３】
【補正対象書類名】図面
【補正対象項目名】図１
【補正方法】変更
【補正の内容】
【図１】
2012079568.tif 000021
【手続補正４】
【補正対象書類名】図面
【補正対象項目名】図４
【補正方法】変更
【補正の内容】
【図４】
2012079568.tif 000022
【手続補正５】
【補正対象書類名】図面
【補正対象項目名】図７
【補正方法】変更
【補正の内容】
【図７】
2012079568.tif 000023
【手続補正書】
【提出日】平成23年3月1日(2011.3.1)
【手続補正１】
【補正対象書類名】図面
【補正対象項目名】図１
【補正方法】変更
【補正の内容】
【図１】
2012079568.tif 000024
【手続補正２】
【補正対象書類名】図面
【補正対象項目名】図４
【補正方法】変更
【補正の内容】
【図４】
2012079568.tif 000025
【手続補正３】
【補正対象書類名】図面
【補正対象項目名】図７
【補正方法】変更
【補正の内容】
【図７】
2012079568.tif 000026
【手続補正書】
【提出日】平成23年4月1日(2011.4.1)
【手続補正１】
【補正対象書類名】明細書
【補正対象項目名】全文
【補正方法】変更
【補正の内容】
【発明の詳細な説明】
【技術分野】
【０００１】
本発明は、LED照明灯として使用される。
【背景技術】
【０００２】
ＬＥＤ照明灯に使われる、LEDは、発光時における熱により発光性能の劣化などがおきる、高輝度ＬＥＤほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立てフレーム材などに適応できる形状の押し出し材にLEDを構成した熱伝導性の良い材質からなる個々に独立したＬＥＤ取り付け台とＬＥＤからの光を拡散、投光させる導光管などから構成される発光部を取り付けることにより前記押し出し材をヒートシンクおよび照明灯の箱体として利用し、1つの独立したLED照明灯を構成させることにより特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供することにある。
【発明の効果】
【０００４】
特別なヒートシンクを必要としないLED取り付け台の取り付け位置設定及び、取り付け取り外しが自由な、低価格なＬＥＤ照明灯を提供できる。
【図面の簡単な説明】
【０００５】
【図１】(1a) LED取り付け台(1)          (2a)導光管支持台(5)          (3a)照明灯箱体(6)          (4a)円柱状の導光管(11)
【図２】(1b)導光管支台(5)  正面図          (2b)導光管支台(5)  側面断面図          (3b)左右2つの導光管支持台(5)  に支持された導光管断面図
【図３】(1c)板ばね(13)左側面図          (2c)板ばね(13)正面図          (3c)板ばね(13)平面図
【図４】板ばね(13)、導光管(11)、導光管支持台(5)  を照明灯箱体(6)にまさに嵌めこも          うとする斜視図
【図５】(1d)板ばね(13)、導光管(11)、導光管支持台(5)を照明灯箱体(6)に嵌め込んだ後のエンドキャップ接続前左側面図(2d)板ばね(13)、導光管(11)、導光管支持台(5)を照明灯箱体(6)に嵌め込んだ後のエンドキャップ接続前正面図(3d) Xだけ短い導光管(11)と導光管支持台(5)を照明灯箱体(6)に嵌め込んだ後のエンドキャップ接続前正面図
【図６】フレームに構成したLED照明灯の導光管(11)からの光の拡散、投光図
【図７】2つの導光管（11）を構成するLED照明灯を照明灯箱体(6)に嵌め込む図
【図８】図7におけるLED照明灯嵌め込み接続後図
【図９】箱体枠を構成する照明灯箱体(6)に本発明のLED照明灯を組み込んだ図
【発明を実施するための形態】
【０００６】
以下、本発明の実施の形態を、図を使用して説明する。（以下図面において本発明に関する部のみ図示しその他は図を省略する）
【０００７】
図1の図(1a)において(1)は、本発明による、LED照明灯を構成するアルミニューム押し出し材などから作られるLEDを取り付けるLED取り付け台の押し出し面からの図である。前記LED取り付け台(1)の凸状部(3)は図(3a)に示されている、対応する押し出し材からなる照明灯箱体(6)の凹状部(9)よりやや小さく作られている、溝部の(2)は前記LED取り付け台（1）を前記照明灯箱体（6）に設置するため、対応する前記凸凹状部を互いに嵌めこんだとき取り付け台（1）が照明灯箱体（6）にしっかりと接するようにするためのばね（図3にて説明）を嵌めるばね溝(2)である、このばねの圧縮応力によりLED取り付け台（1）と照明灯箱体（6）は常に強く接触、することにより、接触抵抗が小さくなりLEDが発した前記LED取り付け台（1）からの熱は、ヒートシンクの役割を果たす照明灯箱体（6）に、より伝導されやすくなり前記照明灯箱体（6）より放熱される。また、ばねにより接続されているのでLED取り付け台（1）の照明灯箱体（6）への取り付けも設置位置変化においても特別な工具を必要としない。
【０００８】
図(2a)は、前記LED取り付け台（1）に取り付けられたLEDが発する光を拡散、投光するためのレンズの役割をする本LED照明灯の投光部となる導光管（11）を支持するためのプラスチックまたは金属などの導光管支持台（5）であり、前記導光管支持台(5)には導光管（11）を支持するための導光管支持穴(4)が設けられている。
図(3a)は、押し出し材などから作られる,本発明のLED照明灯の本体（以下照明灯箱体と呼ぶ）に該当する、構造用フレーム材などにも使用できる照明灯箱体（6）の押し出し面からの図である、前記照明灯箱体（6）内部の左右に設けられた溝（7）は、照明灯箱体（6）蓋のための上蓋用溝（7）であり、前記上蓋溝（7）下の左右に設けられた穴はエンドキャップ接続用のネジ穴（8）である。
図(4a)は、アクリルやガラスなどから作られる透明な円柱状の導光管（11）であり、導光管にはLEDからの光を拡散、投光するための反射部（12）が設けられている。
【０００９】
図面2における図(1b)は、導光管支持台（5）の正面図であり図(2b)はその右側面のa-a断面図である、柱状の導光管（11）を支持する導光管支持穴（4）内部には、オーリングが設けられている、図(3b)は、2個の導光管支持台（5）で1つの導光管(11)を支持している図の断面図である、オーリングにて円柱状の導光管(11)両端を支持しているので、導光管（11）を指などで回転させ場合、オーリングの摩擦で回転位置を保持できるため前記導光管（11）の反射部（12）の位置が変わり投光角度を自由に設定できる。オーリングの変わりに導光管の回転時に導光管回転軸に摩擦を与えるオイルシールなどでも可能である
図3における図(1c)は、ＬＥＤ取り付け台(1)のばね溝（2）に嵌め込むばね鋼などからなる板ばね（13）の右側面図である、この板ばね（13）のたわみ部分（14）が照明灯箱体（6）の底部(10)により高さhが圧縮されることによりＬＥＤ取り付け台（1）と照明灯箱体（6）を常にこの圧縮応力で接触させることができる、このばね力によりＬＥＤ取り付け台（1）からの熱を照明灯箱体（6）に熱伝導する際生じる接触抵抗を小さくできるまた、力を加えてばねの高さhの値を小さくすることによりＬＥＤ取り付け台（1）の照明灯箱体（6）上の位置を特別な工具を使わず自由に設定できるので長さの違う導光管（11）を設置できる、図(2c)は、板ばね（13）の正面図で凸部分（15）は対応するLED取り付け台（1）の溝部（2）に差し込む凸部である、図(3c)は前記板ばねの平面図である。
【００１０】
図4は、2個のＬＥＤ取り付け台(1),導光管支持台(5),板ばね(13)、エンドキャップと1つの照明灯箱体（6）と1つの導光管(11)を矢印の方向に嵌め込み接続設置し1つの独立したLED照明灯を組み立てようとする図の斜視図である（本発明以外の物の図は、省略）。
図5の図(1d)は、嵌め込み後のエンドキャップを接続する前の図（2d）に対しての左側面図であり、板ばね（13）の力F1は照明灯箱体（6）の底部（10）に作用してその反作用の力FはLED取り付け台（1）の凸上部（3）で照明灯箱体（6）を押しつける、図(2d)は、正面図である(L)はLED照明灯の全長を表す。図(3d)は、LED取り付け台（1）を移動してXだけ短い導光管（11）を取り付けた場合の図である。
図6は、ＬＥＤからの光がＬＥＤから発せられた後、導光管（11）内を反射した後、反射板（12）に反射して導光管（11）の外部に投光される図である。
図7は、2つの導光管（11）と左右に2つのＬＥＤを取り付けた1つのＬＥＤ取り付け台（1）、とLEDを片側に取り付けた2つのLED取り付け台（1）、4つの導光管支持台(5)と3の板ばね（13）を1つの照明灯箱体（6）に嵌め込むことにより、2つの独立した発光部を持つ本発明による照明灯を製作する斜視図である（本発明以外の物の図は、省略）。
図7に示されるように、LED取り付け台（1）は、照明灯箱体（6）に必要な数だけ設置できる。
図8は図7においてのエンドキャップ接続前の嵌め込み後の本発明によるLED照明灯（A）完成図である
図9は、複数のアルミ押し出し材などからなる構造用フレーム材を組み立て製作した箱体枠（16）であり、このうちのLED取り付け台（1）を嵌め込み接続し設置できる図1の図3aで示された押し出し材を1つの構造用フレーム材を兼ねた照明灯箱体とした本発明のLED照明灯（A）を設置した図である。本発明によるＬＥＤ照明灯は、商品陳列棚や工場における設備の一部の構造用フレーム材に前記ＬＥＤ取り付け台（1）と対応し前記LED取り付け台を嵌め込み設置できる押し出材を備えればそこに必要に応じたサイズのＬＥＤ照明灯を必要なだけ数内蔵設置することができ照明灯箱体自体が構造用フレーム材となるので構造用フレーム材数を減らせる。また、他の構造用フレーム材に熱を伝導させることにより、他の構造用フレーム材からも放熱が可能となる。
【産業上の利用可能性】
【００１１】
LED照明灯構造として利用できる。
【符号の説明】
【００１２】
1.    
LED取り付け台
2.    
ばね溝
3.    
取り付け台の凸状部(3)
4.    
導光管支持穴
5.    
導光管支持台
6.    
照明灯箱体
7.    
上蓋用溝
8.    
ねじ穴
9.    
凹状部
10. 底部
11. 導光管
12. 反射部
13. 板ばね
14. 板ばねたわみ部
15. ばね溝（2）に嵌め込む、凸部分
16. 構造用フレーム材を組み立て製作した箱体枠
ｈ  ばね高さ
L  エンドキャップ接続前の本発明によるLED照明灯全長
X  導光管を短くしたLED照明灯
A  本発明によるLED照明灯
F  照明灯箱体（6）を押す力
F1  照明灯箱体（6）を押すばねからの力
【手続補正２】
【補正対象書類名】特許請求の範囲
【補正対象項目名】全文
【補正方法】変更
【補正の内容】
【特許請求の範囲】
【請求項１】
LEDを備えた、押し出し材又は熱伝導性の良い材質からなるLED取り付け台と、前記LED取り付け台を設置する前記LEDからの熱を伝導し、放熱する押し出し材からなるLED照明灯箱体で構成される、1つのLED照明灯において、前記押し出し材対する前記LED取り付け台の設置位置移動が可能でありかつ設置数が固定されてないことを特徴とするLED照明灯。
【請求項２】
LEDを備えた、押し出し材又は熱伝導性の良い材質からなるLED取り付け台と、前記LED取り付け台からの熱を放熱するLED照明灯箱体となる押し出し材、それぞれに構成された互いに対応する凹凸状部を嵌め込み設置して構成される1つのLED照明灯において、前記押し出し材に対する前記LED取り付け台の設置位置移動が可能でありかつ設置数が固定されてないことを特徴とするLED照明灯。
【請求項３】
前記請求項1及び請求項2のLED照明灯において前記LED取り付け台を取り付け及び取り外しできることを特徴とするLED照明灯。
【請求項４】
前記請求項1及び請求項2及び請求項3のLED照明灯において、前記LED取り付け台からの熱を放熱するLED照明灯箱体となる押し出し材が構造用フレーム材であることを特徴とするLED照明灯。
【請求項５】
前記請求項1及び請求項2及び請求項3のLED照明灯において、前記LED取り付け台と前記LED取り付け台を設置する前記LEDからの熱を、放熱する押し出し材からなるLED照明灯箱体は、熱伝導における接触抵抗を小さくするため、ばねにより生じる圧力が、互いの接触面に加わっていることを特徴とするLED照明灯。
【請求項６】
前記請求項1及び請求項2及び請求項3及び請求項4のLED照明灯において、前記LED取り付け台とLED取り付け台の間に柱状の導光管を支持させることにより、独立した前記LED取り付け台のLEDからの光の投光部を設置できることを特徴とするLED照明灯。
【手続補正３】
【補正対象書類名】図面
【補正対象項目名】図２
【補正方法】変更
【補正の内容】
【図２】
2012079568.tif 000027